(57)【特許請求の範囲】
【請求項１】
操作面上での操作体の位置を検出する検出手段と、
出力手段の表示領域中の各所定位置にデータを表示させると共に、前記検出手段からの検出信号に基づいて前記操作面上で移動する前記操作体の移動方向を算出して当該移動方向とは略反対方向へ前記データの全部若しくは一部を移動させて前記移動方向に対応した方向における前記表示領域の前記移動方向外側のデータを前記出力手段に表示させ、更に、前記操作面上での移動を終了した前記操作体を前記検出手段が検出しなくなった場合には前記データの移動の実行を開始し、且つ、継続して前記データの移動を実行し続ける制御手段と、
を備える画面操作装置。
【請求項２】
前記制御手段は、前記検出手段からの信号に基づいて、前記操作面上での前記操作体の移動開始地点、１乃至複数の移動途中の中間点、及び移動終了地点の少なくとも１の地点における前記操作体の停滞時間若しくは少なくとも前記１の地点から他の１の地点までの移動時間を算出すると共に、算出した前記停滞時間若しくは移動時間が所定値未満の場合に前記データの移動を実行することを特徴とする請求項１記載の画面操作装置。
【請求項３】
前記制御手段は、前記操作面上での前記操作体の移動以外の所定の操作を検出して、前記操作体の移動検出時での前記データの移動速度とは異なる速度で前記データの全部若しくは一部を移動させることを特徴とする請求項１又は請求項２記載の画面操作装置。
【請求項４】
前記制御手段は、前記検出手段からの信号に基づいて、前記操作面上での前記操作体の移動開始地点、１乃至複数の移動途中の中間点、及び移動終了地点の少なくとも１の地点における前記操作体の停滞時間若しくは少なくとも前記１の地点から他の１の地点までの移動時間を算出すると共に、算出した前記停滞時間若しくは移動時間に基づいて前記データの移動速度を設定することを特徴とする請求項１乃至請求項３の何れかに記載の画面操作装置。
【発明の詳細な説明】
【０００１】
【発明の属する技術分野】
本発明は、例えば、車両に搭載されるカーナビゲーション装置等のモニタ画面の切り換え等を行なう画面操作装置に関する。
【０００２】
【従来の技術】
車両に搭載されるカーナビゲーション装置は、通常、車両に搭載したモニタテレビの画面に所定縮尺の地図を表示する構成となっている。また、このようなモニタテレビでの地図表示はモニタテレビの画面の大きさに表示範囲が限定されてしまうため、画面には部分的な地図しか表示せず、所定の操作で表示を切り換え、所望の地点を含んだ地図を表示させるようになっている。
【０００３】
一方で、上述したようなカーナビゲーション装置では、操作性の向上を目的として装置本体とは別に用意されたコントローラを用いて操作を行なうようになっている。このようなコントローラの一例としては、略棒状の操作杆が基端部周りに所定範囲回動自在にコントローラの本体部分に取り付けられた所謂ジョイスティックタイプのコントローラがある。
【０００４】
このようなジョイスティックタイプのコントローラで上記のような地図画面を切り換える際には、通常、表示されている地図から表示したい地点のへの方向に対応した方向へ操作杆を基端部周りに倒す（回動させる）ことにより行なわれる。
【０００５】
【発明が解決しようとする課題】
しかしながら、ジョイスティックタイプのコントローラでの地図画面を切り換えは、表示したい地点が画面に表示されるまで操作杆を倒し続けておかなければならず、その間はカーナビゲーション装置以外の操作も含んだ他の操作が制限されてしまうため、操作性という点で未だ改良の余地があった。
【０００６】
本発明は、上記事実を考慮して、操作性が高い画面操作装置を得ることが目的である。
【０００７】
【課題を解決するための手段】
請求項１記載の画面操作装置は、操作面上での操作体の位置を検出する検出手段と、出力手段の表示領域中の各所定位置にデータを表示させると共に、前記検出手段からの検出信号に基づいて前記操作面上で移動する前記操作体の移動方向を算出して当該移動方向とは略反対方向へ前記データの全部若しくは一部を移動させて前記移動方向に対応した方向における前記表示領域の前記移動方向外側のデータを前記出力手段に表示させ、更に、前記操作面上での移動を終了した前記操作体を前記検出手段が検出しなくなった場合には前記データの移動の実行を開始し、且つ、継続して前記データの移動を実行し続ける制御手段と、を備えている。
【０００８】
上記構成の画面操作装置によれば、出力手段の表示領域にデータが表示された状態で操作面上を操作体が移動すると、検出手段がこの操作体の移動を検出し、更に、この操作面上での操作体の移動方向が制御手段によって算出される。
【０００９】
次いで、操作面上での操作体の移動方向を算出した制御手段は、データの全部若しくは一部を表示領域に対して算出した移動方向とは略反対方向へ移動させる。これにより、それまで出力手段の表示領域内に位置していたデータの全部若しくは一部は、算出した移動方向とは略反対方向側から連続的若しくは断続的に表示領域外へ移動し、また、それまで算出した移動方向とは反対側で表示領域外に位置していたデータが算出した移動方向とは略反対側から表示領域内へ移動して表示される。
【００１０】
このように、本画面操作装置では、操作体の移動方向とは反対方向へデータを移動させることで、あたかも表示領域が操作体の移動方向へ移動したように見える。
【００１１】
ここで、上述したように、本画面操作装置では、基本的に操作面上での操作体の移動を検出手段が検出することでデータの移動が行なわれ、また、このときの移動方向は操作面上での操作体の移動方向を算出することで行なわれる。これにより、操作面上で操作体を移動させてしまえば、その後はなんらかの操作を行なったり、或いは継続したりしなくても、データを移動させつづけることが可能となる。
一方、操作面上での移動を終了した操作体が検出手段により検出されなくなった場合には、制御手段によりデータの移動の実行が開始される。すなわち、このように設定することで、意図的に操作面上から操作体を離間させなければデータの移動が実行されないこととなる。これにより、不用意なデータの移動が防止若しくは抑制される。しかも、この場合には、制御手段によるデータの移動の実行が継続される。このため、所望の画面が表示されるまで、操作面上での操作体の操作等の何らかの操作を継続したり、特別な操作を行なったりしなくてもよい。これにより、所望の画面が表示されるまで操作者は操作から開放される。
【００１２】
請求項２記載の画面操作装置は、請求項１記載の本発明において、前記制御手段は、前記検出手段からの信号に基づいて、前記操作面上での前記操作体の移動開始地点、１乃至複数の移動途中の中間点、及び移動終了地点の少なくとも１の地点における前記操作体の停滞時間若しくは少なくとも前記１の地点から他の１の地点までの移動時間を算出すると共に、算出した前記停滞時間若しくは移動時間が所定値未満の場合に前記データの移動を実行することを特徴としている。
【００１３】
上記構成の画面操作装置では、操作面上で操作体が移動すると検出手段によって操作面上での操作体の移動が検出され、このときの検出信号が直接或いは間接的に制御手段に送られる。制御手段では、この検出手段からの検出信号に基づいて操作体の移動開始地点、１乃至複数の移動途中の中間点、及び移動終了地点の少なくとも１の地点における操作体の停滞時間或いは前記１の地点から他の１の地点までの移動時間を算出する。さらに、この算出した停滞時間若しくは移動時間が所定値未満であった場合に制御手段によりデータの移動が実行される。
【００１４】
これにより、操作面上での不用意な操作体の移動等による不用意なデータの移動が防止若しくは抑制される。
【００１５】
請求項３記載の画面操作装置は、請求項１又は請求項２記載の本発明において、前記制御手段は、前記操作面上での前記操作体の移動以外の所定の操作を検出して、前記操作体の移動検出時での前記データの移動速度とは異なる速度で前記データの全部若しくは一部を移動させることを特徴としている。
【００１６】
上記構成の画面操作装置によれば、操作面上での操作体の移動以外の所定の操作が制御手段によって検出されると、制御手段は操作体の移動検出時でのデータの移動速度とは異なる速度でデータの全部若しくは一部を移動させる。したがって、この所定の操作と操作面上での操作体の移動とを使い分けることによりデータ移動速度の調節が可能となる。
【００１７】
請求項４記載の画面操作装置は、請求項１乃至請求項３の何れかに記載の本発明において、前記制御手段は、前記検出手段からの信号に基づいて、前記操作面上での前記操作体の移動開始地点、１乃至複数の移動途中の中間点、及び移動終了地点の少なくとも１の地点における前記操作体の停滞時間若しくは少なくとも前記１の地点から他の１の地点までの移動時間を算出すると共に、算出した前記停滞時間若しくは移動時間に基づいて前記データの移動速度を設定することを特徴としている。
【００１８】
上記構成の画面操作装置では、操作面上で操作体が移動すると検出手段によって操作面上での操作体の移動が検出され、このときの検出信号が直接或いは間接的に制御手段に送られる。制御手段では、この検出手段からの検出信号に基づいて操作体の移動開始地点、１乃至複数の移動途中の中間点、及び移動終了地点の少なくとも１の地点における操作体の停滞時間或いは前記１の地点から他の１の地点までの移動時間を算出する。さらに、この算出した停滞時間若しくは移動時間に基づいて制御手段によってデータの移動速度が設定される。すなわち、本画面操作装置では、例えば、操作面上での操作体の移動速度を速くした場合と遅くした場合とでデータの移動速度が異なる。したがって、すばやいデータの移動やデータ表示位置の微調整等が容易となる。
【００２１】
【発明の実施の形態】
＜本実施の形態の構成＞
図１には本発明の一実施の形態に係る画面操作装置としての（詳細に言えば、本発明の一実施の形態に係る画面操作装置をその機能の一部として有する）カーナビゲーション装置１０の概略的な外観が示されており、図２には本カーナビゲーション装置１０の構成がブロック図によって示されている。
【００２２】
これらの図に示されるように、本カーナビゲーション装置１０は装置本体１２を備えている。この装置本体１２は全体的に箱形状に形成されており、車両のインストルメントパネルに形成された収容部（図示省略）へ収容される。この収容部に収容された状態で車両室内側に露出する装置本体１２の外壁部１４には開口部１６が形成されており、透明若しくは赤外光の透過が可能に着色された窓１８が嵌め込まれている。この開口部１６を介して装置本体１２の内側には、図２に示される赤外線受光部２０が設けられている。
【００２３】
赤外線受光部２０は、装置本体１２の内部に設けられたＣＰＵ等の制御手段としての制御部２２へ接続されており、受光した赤外線信号に応じた電気信号を制御部２２へ送信している。一方、制御部２２は装置本体１２の内部若しくは装置本体１２の外部に設けられた記憶媒体２４へ接続されており、記憶媒体２４へ記憶された様々なプログラムを読み込んで、それを処理、実行する。
【００２４】
一方、本カーナビゲーション装置１０はモニタ手段としてのモニタテレビ２６を備えている。モニタテレビ２６は車両のインストルメントパネル上を含めた所定の設置箇所で運転席等から見えるように設置される。このモニタテレビ２６は、フラットケーブル等の接続手段を介して装置本体１２の制御部２２へ接続されており、制御部２２における処理結果、実行結果を表示できる。
【００２５】
具体的に言うと、例えば、制御部２２が記憶媒体２４から地図画面表示プログラムを読み込んだ場合には、制御部２２は地図データを展開すると共に展開した地図データのうち、予め設定され且つモニタテレビ２６の表示領域Ｒ（図９の一点鎖線Ｒ内）に表示可能なデータをモニタテレビ２６の表示領域Ｒに表示する（図９参照）。なお、各図において、モニタテレビ２６の画面中には一点鎖線で表示領域Ｒを示しているが、これは、本実施の形態を説明するうえで便宜上示したものであり、実際に画面にこのような一点鎖線の表示領域Ｒが示されるものではない。
【００２６】
また、制御部２２が記憶媒体２４から登録マーク検索プログラムを読み込んだ場合には、図１２に示されるようにモニタテレビ２６の表示領域Ｒに複数の選択ボタン３２、３４、３６、３８、４０、４２、４４、４６、４８、５０、５２、５４をマトリックス状（本実施の形態では４行３列）に表示すると共に予め使用者等が登録した（すなわち、所定の登録作業により記憶媒体２４へ記憶させた）登録マークデータを展開し、予め設定された順番で且つ表示領域Ｒへ表示可能な（すなわち、表示領域Ｒ内の）登録マークデータのラベル（地点名）を各選択ボタン３２〜５４中に表示する。
【００２７】
また、登録マークデータが選択ボタン３２〜５４の数よりも多い場合、すなわち、表示領域Ｒ内にラベル表示不可能な登録マークデータが存在する場合には、後述する所定の操作で画面を切り換えることで、図１４や図１５に示されるように、各選択ボタン３２〜５４に他の登録マークデータのラベルを表示させることができる。
【００２８】
さらに、制御部２２が記憶媒体２４からジャンル別目的地検索プログラムを読み込んだ場合には、図１６に示されるようにモニタテレビ２６の表示領域Ｒに複数の選択ボタン３２〜５４をマトリックス状（本実施の形態では４行３列）に表示すると共に、予め記憶媒体２４に記憶させておいた目的地の大分類データ、中分類データ、及び小分類データが展開され、予め設定された順番で且つ表示領域Ｒへ表示可能な（すなわち、表示領域Ｒ内の）各分類データを各選択ボタン３２〜５４中に表示する。
【００２９】
また、分類データ数が選択ボタン３２〜５４の数よりも多い場合、すなわち、表示領域Ｒ内に表示不可能な分類データが存在する場合には、後述する所定の操作で画面を切り換えることで、図１９、図２１、図２３に示されるように、各選択ボタン３２〜５４に他の登録地点名を表示させることができる。
【００３０】
さらに、図１及び図２に示されるように、本カーナビゲーション装置１０は入力手段としてのコントローラ７０を備えている。ここで、図３にはコントローラ７０の平面図が示されており、図４にはコントローラ７０の要部の構成が断面図によって示されている。
【００３１】
図４に示されるように、コントローラ７０は下ケース７２と上ケース７４とにより構成されたケース７６を備えている。下ケース７２は厚さ方向一方の側へ向けて開口した略箱形状に形成されている。これに対し、上ケース７４は下ケース７２とは反対側へ向けて開口した略箱形状で、下ケース７２と上ケース７４とは互いの開口端が向き合った状態で一体的に連結されている。
【００３２】
また、図３及び図４に示されるように、上ケース７４の上底部７８には略矩形状の開口部８０が形成されており、この開口部８０に対応してケース７６にはパネルスイッチ８２を構成する操作面としてのパネル８４が設けられている。パネル８４は外周形状が開口部８０に対応した略矩形平板状に形成されている。
【００３３】
さらに、図４に示されるように、このパネル８４の下方（下ケース７２側）には基板８６が略平行に配置されている。基板８６には表面及び裏面の少なくとも何れか一方にプリント配線等の配線が施されていると共に、ＣＰＵ８８やバッテリー９０、更には、抵抗やコンデンサ等の電気部品が上記の配線により電気的に接続されている。
【００３４】
基板８６は図示しない保持手段によって直接或いは間接的に上ケース７４又は下ケース７２に固定されている。また、基板８６上には圧縮コイルスプリング９２が配置されており、パネル８４を開口部８０側へ付勢した状態で基板８６へ接離移動可能に支持している。さらに、上ケース７４にはストッパ９４が形成されている。ストッパ９４はパネル８４の外周部に係合しており、所定距離以上にパネル８４が基板８６から離間しないように保持している。
【００３５】
また、パネル８４と基板８６との間にはパネル８４と共にパネルスイッチ８２を構成するプッシュスイッチ９６が設けられている。プッシュスイッチ９６は本体９８を備えている。本体９８は図示しない固定接点を備えている。この固定接点は基板８６の配線へ電気的に接続されている。さらに、この本体９８には可動部１００が設けられている。可動部１００は基板８６に対するパネル８４の接離方向と略同方向に本体９８に対して移動可能とされており、基板８６へ接近する方向へ移動することで少なくとも一部が本体９８内へ移動する。また、可動部１００には図示しない可動接点を備えており、可動部１００が基板８６へ接近する方向へ移動した際に本体９８の固定接点へ接触して導通し、基板８６から離間することで固定接点との導通が解除される。
【００３６】
可動部１００の本体９８とは反対側はパネル８４の裏面へ当接している。したがって、パネル８４が圧縮コイルスプリング９２の付勢力に抗して基板８６へ接近する方向へ移動することで可動部１００が基板８６へ接近し、可動部１００の可動接点が本体９８の固定接点に接触する構成である。
【００３７】
さらに、基板８６の外周部近傍の裏面側には、赤外線発光素子１０２が配置されている。赤外線発光素子１０２は上記のＣＰＵ８８やバッテリー９０へ電気的に接続されており、ＣＰＵ８８からの信号に基づいて赤外線信号Ｌを発する。この赤外線発光素子１０２に対応して下ケース７２の側壁１０４には開口部１０６が形成されている。この開口部１０６には透明若しくは赤外線の透過が可能な程度に着色された窓１０８が嵌め込まれており、赤外線発光素子１０２にて発せられた赤外線信号Ｌは窓１０８を透過してケース７６の外部へ出て、上述した装置本体１２の窓１８を透過して赤外線受光部２０に受光される。
【００３８】
一方、図３に示されるように、パネル８４の表面側には検出手段としてのシートスイッチ１１０が載置されている。ここで図５にはシートスイッチ１１０の展開状態での平面図が示されている。この図に示されるように、シートスイッチ１１０は一対の基部１１２、１１４を備えている。これらの基部１１２、１１４は、例えは、絶縁性の合成樹脂材により各々が平面視略矩形状のシート状に形成されており、少なくとも、基部１１４は所定の大きさ以上（例えば、人が指で軽く押圧した程度）の押圧力で弾性変形可能な程度の剛性に設定されている。また、基部１１２は、その幅方向一方（図５の右方）の端部で基部１１４の幅方向他方（図５の左方）の端部と連結されており、基部１１２と基部１１４との連結部１１６を軸線として基部１１２が基部１１４に対して相対的に回動可能とされている。
【００３９】
さらに、基部１１２の表面上には複数本（本実施の形態では４本）のライン端子１２２、１２４、１２６、１２８が形成されている。これらのライン端子１２２〜１２８は各々が基部１１２の幅方向に沿って長手の線状若しくは棒状とされており、基部１１２の長手方向に沿って所定間隔毎に互いに平行に形成されている。
【００４０】
一方、基部１１４の表面上には複数本（本実施の形態では３本）のライン端子１３２、１３４、１３６が形成されている。これらのライン端子１３２〜１３６は各々が基部１１４の長手方向に沿って長手の線状若しくは棒状とされており、基部１１４の幅方向に沿って所定間隔毎に互いに平行に形成されている。
【００４１】
さらに、基部１１２の幅方向他方の端部にはコネクタ部１４０が形成されている。これらのコネクタ部１４０には上述したライン端子１２２〜１２８の各々に対応して複数本（本実施の形態では７本）の接続線１４２が形成されている。各接続線１４２の一方の端部は基部１１２、更には基部１１４の表面上を介して対応するライン端子１２２〜１３６の一端へ電気的に接続されている。
【００４２】
これに対して、各接続線１４２はコネクタ部１４０に機械的に接続された他のコネクタ部のリード線（図示省略）を介して図４に示される基板８６のプリント配線等へ電気的に接続されており、更に、この基板８６のプリント配線等を介して上述したＣＰＵ８８へ電気的に接続されている。
【００４３】
基部１１２と基部１１４とは互いの表面が対向するように連結部１１６にて折り返されており、これにより、図５における基部１１２上で二点鎖線で示されるようにライン端子１３２〜１３６がライン端子１２２〜１２８と略直交し、全体体にライン端子１２２〜１３６が格子状に配置されることになる。この状態でライン端子１２２〜１２８の何れかとライン端子１３２〜１３６の何れかとが互いに接触して導通すると、この導通がＣＰＵ８８に検出されるようになっている。
【００４４】
また、図５に示されるように、基部１１２の表面上には複数の突起１４４が形成されている。これらの突起１４４は、ライン端子１２２〜１２８の側方で且つライン端子１３２〜１３６が基部１１２の表面と対向した状態でライン端子１３２〜１３６の側方に位置するように形成されており、連結部１１６周りに折り返された状態では基部１１４の表面が基部１１２の表面に対して所定距離離間した状態で基部１１４を保持するようになっている。このため、通常状態ではライン端子１２２〜１２８とライン端子１３２〜１３６とは互いに離間している。
【００４５】
＜本実施の形態の作用、効果＞
（コントローラ７０の作動概略）
次に、本実施の形態の全体的な作用並びに効果の説明に先立ち、コントローラ７０の作動について簡単に説明する。
【００４６】
本実施の形態では、コントローラ７０の平面視（すなわち、図３図示状態）でライン端子１２２〜１２８の何れかと、ライン端子１３２〜１３６の何れかとの交点近傍であるシートスイッチ１１０上のタッチ部１５０、１５２、１５４、１５６、１５８、１６０、１６２、１６４、１６６、１６８、１７０、１７２のうち、例えば、タッチ部１６０に触れてシートスイッチ１１０を押圧すると、タッチ部１６０でシートスイッチ１１０を構成する基部１１４が弾性変形する。これにより、タッチ部１６０近傍を交点とするライン端子１２４とライン端子１３６とは接触して導通するが、タッチ部１６０を除いたタッチ部１５０〜１７２近傍では基部１１４が突起１４４に支持されるためライン端子１２２〜１３６が互いに接触して導通することはない。
【００４７】
このライン端子１２４とライン端子１３６との導通（導通信号）はＣＰＵ８８により検出され、この導通を検出したＣＰＵ８８は赤外線発光素子１０２に対して数種類の赤外線信号Ｌの中からライン端子１２４とライン端子１３６との導通に対応した赤外線信号Ｌを発信（発光）させるべく発光信号を発信する。この発光信号の受信に応じて赤外線発光素子１０２から発せられたライン端子１２４とライン端子１３６との導通の導通に対応する赤外線信号Ｌは、装置本体１２の赤外線受光部２０にて受光され、更に制御部２２は赤外線受光部２０が受けた赤外線信号Ｌに基づく電気信号を受ける。なお、以下、ライン端子１２２〜１２８の何れかとライン端子１３２〜１３６の何れかが導通した際の赤外線信号Ｌに基づいて制御部２２が赤外線受光部２０から受ける電気信号を便宜上「タッチ信号」と称する。
【００４８】
一方、操作者がシートスイッチ１１０の基部１１４の裏面に指で触れた状態でシートスイッチ１１０を介して圧縮コイルスプリング９２の付勢力を上回る押圧力をパネル８４に付与すると、パネル８４が基板８６側へ移動し、これにより、プッシュスイッチ９６の可動部１００の可動接点とプッシュスイッチ９６の本体９８の固定接点とが接触して導通する。可動部１００の可動接点と本体９８の固定接点との導通は固定接点へ電気的に接続されているＣＰＵ８８により検出され、可動部１００の可動接点と本体９８の固定接点との導通をＣＰＵ８８が検出すると、ＣＰＵ８８は赤外線発光素子１０２から可動部１００の可動接点と本体９８の固定接点との導通信号に基づいた赤外線信号Ｌを発光させる。
【００４９】
このようにして赤外線発光素子１０２から発せられた赤外線信号Ｌは装置本体１２の赤外線受光部２０にて受光され、更に制御部２２は赤外線受光部２０が受けた赤外線信号Ｌに対応した電気信号を受ける。なお、以下、プッシュスイッチ９６における可動部１００の可動接点と本体９８の固定接点とが導通した際の赤外線信号Ｌに基づいて制御部２２が赤外線受光部２０から受ける電気信号を便宜上「クリック信号」と称する。
【００５０】
（地図画面表示プログラム起動時における本実施の形態の作用、効果）
次に、本カーナビゲーション装置１０における画面切換（すなわち、通常切換としての通常スクロール、高速切換としての高速スクロール、及び変速切換としての減速スクロール）に関する作用並びに効果について、図６及び図８のフローチャートに基づき、地図画面表示プログラムを起動した場合、登録マーク検索プログラムを起動した場合、及び地名検索プログラムを起動した場合の各々を例にして説明する。
【００５１】
先ず、図６に示されるように、ステップ２００で制御部２２が記憶媒体２４から地図画面表示プログラムを読み込んで地図画面表示プログラムが起動されると、ステップ２０２で初期設定処理が行なわれる。この初期設定処理ではフラグＦ１、Ｆ２、Ｆ３にそれぞれ０が代入されてリセットされると共に後述するタイマー（タイマープログラム）における経過時間Ｔに０が代入されてリセットされる。次いで、ステップ２０４では記憶媒体２４から地図画面表示プログラム起動時における表示データであるところの地図データが読み込まれて展開される。
【００５２】
その後、ステップ２０６でモニタテレビ２６の画面の表示領域Ｒに所定の地図データが表示されているか否かが判定され、所定の地図データが表示されていなければステップ２０８にて画面表示処理がなされ、展開された地図データのうち、表示領域Ｒに対応した地図データを図９に示されるようにモニタテレビ２６の画面に表示してステップ２１０へ進む。なお、ステップ２０６で既に表示領域Ｒに対応した地図データが表示されていると判定されればステップ２０８へ進まずにそのままステップ２１０へ進む。
【００５３】
次いで、ステップ２１０では赤外線受光部２０がコントローラ７０の赤外線発光素子１０２から赤外線信号Ｌを受信したか否かの判定、すなわち、赤外線受光部２０からの電気信号を制御部２２が受信したか否かの判定が行なわれる。ここで、例えば、上述したシートスイッチ１１０に操作者の指が触れておらず、このため、ライン端子１２２〜１３６が何れも導通していなければ、赤外線受光部２０がタッチ信号を発することはない。しかも、シートスイッチ１１０に操作者の指が触れていなければパネル８４に押圧力が付与されることもないのでプッシュスイッチ９６の本体９８の固定接点と可動部１００の可動接点とが導通することはなく、赤外線受光部２０がクリック信号を発することはない。したがって、この状態では基本的に制御部２２が赤外線信号Ｌに基づいた電気信号を制御部２２が受信することはないため、ステップ２１２へ進み、フラグＦ１に１が代入されているか否かが判定される。さらにこの状態で本地図画面表示プログラムがステップ２００から開始された直後であれば、Ｆ１はリセットされたままの状態であるため、再びステップ２０６へ戻る。
【００５４】
これに対し、例えば、操作者の指が上述したタッチ部１６０に触れることでライン端子１２４とライン端子１３６とが導通し、この状態でのタッチ信号を制御部２２が赤外線受光部２０から受けると、ステップ２１０からステップ２１４へ進んでステップ２１４で赤外線受光部２０からの電気信号が処理される。次いで、ステップ２１６ではステップ２１４で処理した電気信号がタッチ信号であるか否かが判定される。この場合、受信した信号はタッチ信号であるため、ステップ２１６からステップ２１８へと進み、このタッチ信号がその直前に受信した信号と同一の信号であるか否かが判定される。本地図画面表示プログラムがステップ２００から開始された直後であれば、それ以前に受信した信号はないため、ステップ２２０へと進んでタイマー（タイマープログラム）の経過時間Ｔがリセットされ、ステップ２２２でタイマー（タイマープログラム）が起動する。
【００５５】
次いで、ステップ２２４で経過時間Ｔが予め設定されていた設定時間ＴＡを越えたか否かが判定される。この状態で、例えば、本地図画面表示プログラムがステップ２００から開始された直後である場合等、先に同一の信号を制御部２２が赤外線受光部２０から受けていない場合であれば、この時点では経過時間Ｔが設定時間ＴＡを越えていることはないため、ステップ２２６へ進む。ステップ２２６では、それまで受信したタッチ信号の信号数が２以上（本信号を含めて信号数が３以上）であるか否かが判定され、上記のように最初の信号であればステップ２０６へ戻る。
【００５６】
操作者がシートスイッチ１１０の同一部位、例えば、タッチ部１６０に触れ続けた場合には、ステップ２１８から直接ステップ２２４へと進む。すなわち、操作者がシートスイッチ１１０の同一部位、例えば、タッチ部１６０に触れ続けた場合には、これまで説明した過程を巡り続けるわけであるが、その途中で経過時間Ｔが設定時間ＴＡを越えると、ステップ２２４からステップ２２８へと進み、ステップ２２８にて通常スクロール処理が行なわれる。
【００５７】
この通常スクロール処理では、シートスイッチ１１０上（パネル８４上）での操作者の指位置に基づき（すなわち、タッチ信号に基づいて）所定の方向へ画面が移動する。
【００５８】
すなわち、例えば、タッチ部１６０に指が触れている場合では、タッチ部１６０はパネル８４の中央に対して概ね右方に位置するため、ステップ２２８では、展開した地図データを表示領域Ｒに対して全体的に左方へ移動させる。これにより、表示領域Ｒの左端部側に位置する地図データから表示領域Ｒの左外側へ移動し、これに伴い、それまで表示領域Ｒの右外側に位置して表示されていなかった地図データが表示領域Ｒ内に位置してモニタテレビ２６の画面上に表示される。これにより、タッチ部１６０を指で触れ続けることで、相対的に表示領域Ｒが右方へ移動することになる。したがって、所望の地図データが表示領域Ｒ内に位置するまでパネル８４（シートスイッチ１１０）に触れ続けることで所望の地図データをモニタテレビ２６の画面に表示させることができる。
【００５９】
なお、特にフローチャートを用いた説明はしないが、この通常スクロール処理は、同一のタッチ信号が途絶えること、すなわち、指がシートスイッチ１１０上から離れるか、或いは、シートスイッチ１１０上で指が移動するかにより終了する。この通常スクロール処理が終了するとステップ２３０へ進んでステップ２００へ戻る。
【００６０】
一方、例えば、指がシートスイッチ１１０に触れつつも、経過時間Ｔが設定時間ＴＡを越えるよりも先にシートスイッチ１１０上でタッチ部１６０からタッチ部１５８を介してタッチ部１５６へスライドした場合（すなわち、図３の左側へ指が移動した場合）には、先ず、指がタッチ部１５８を通過する際にライン端子１２４とライン端子１３４とを導通させる。これにより、それ以前のタッチ信号とは異なるタッチ信号が赤外線受光部２０から制御部２２へ送られる。したがって、この場合には、ステップ２１８からステップ２２０へ進みタイマーの経過時間Ｔがリセットされ、ステップ２２２で再びタイマーが起動される。さらに、経過時間Ｔが設定時間ＴＡを越えていなければステップ２２４からステップ２２６へ進む。この状態では、本信号以前のタッチ信号は未だ１つ（本信号を含めて２つ）であるため、そのままステップ２０６へ戻る。
【００６１】
次いで、経過時間Ｔが設定時間ＴＡを越える前に指がタッチ部１５８からタッチ部１５６へ移動してライン端子１２４とライン端子１３２とを導通させると、それ以前のタッチ信号とは異なるタッチ信号が赤外線受光部２０から制御部２２へ送られる。したがって、この場合には、ステップ２１８からステップ２２０へ進みタイマーの経過時間Ｔがリセットされ、ステップ２２２で再びタイマーが起動される。
【００６２】
さらに、経過時間Ｔが設定時間ＴＡを越えていなければステップ２２４からステップ２２６へ進む。ここで、極短時間の間に指がタッチ部１６０からタッチ部１５８を経てタッチ部１５６へスライドした場合には、本信号以前にタッチ部１６０でのタッチ信号とタッチ部１５８でのタッチ信号との２つのタッチ信号（すなわち、タッチ部１５６でのタッチ信号を含めて３つのタッチ信号）を受信しているため、ステップ２２４からステップ２２６へ進んだ後にはステップ２３２へ進み、フラグＦ１に１が代入されているか否かが判定され、この状態でフラグＦ１に１が代入されていなければステップ２３４へ進んでフラグＦ１に１が代入される。
【００６３】
次いで、タッチ部１５６へ指が到達した後、タイマーの経過時間Ｔが設定時間ＴＡを越える前に、例えば、指がシートスイッチ１１０上から離間すると、ステップ２１０からステップ２１２へ進むが、この状態ではフラグＦ１に１が代入されているため、ステップ２３６へ進んで高速スクロール処理が実行される。
【００６４】
図７のフローチャートに示されるように、ステップ３００で高速スクロール処理が開始されると、ステップ３０２で制御部２２が赤外線受光部２０からタッチ信号を受信したか否かが判定される。但し、上述したように高速スクロール処理が行なわれる直前では指がシートスイッチ１１０上から離間するため、制御部２２が赤外線受光部２０からタッチ信号を受信することはなく、ステップ３０４へ進む。
【００６５】
ステップ３０４ではフラグＦ３に１が代入されているか否かが判定されるが、高速スクロール処理が開始される直前にフラグＦ３に１が代入されていることはないため、ステップ３０６へ進む。ステップ３０６ではフラグＦ２に１が代入されているかが判定されるが、フラグＦ３と同様に高速スクロール処理が開始される直前にフラグＦ２に１が代入されていることはないため、ステップ３０８へ進む。
【００６６】
ステップ３０８では高速スクロール処理が開始されるまでに受信した３以上のタッチ信号に基づいてスクロールの方向が算出される。このときのスクロール方向の計算方法としては、例えば、ライン端子１２４とライン端子１３２との導通した際の最後のタッチ信号に基づいてベクトル始端位置を求め、ライン端子１２４とライン端子１３４との導通した際の次のタッチ信号に基づいてベクトル中間位置を求め、更にライン端子１２４とライン端子１３６との導通した際の最初のタッチ信号に基づいてベクトル終端位置を求める方法や、ライン端子１２４とライン端子１３２との導通した際の最後のタッチ信号に基づいてベクトル始端位置を求め、ライン端子１２４とライン端子１３６との導通した際の最初のタッチ信号に基づいてベクトル終端位置を求める方法などがある。前者は中間位置を求めるのに対し後者は中間位置を求めないので、この時点では前者の方法で求めたベクトルの向きと後者の方法で求めたベクトルの向きとが同じになるとは限らない。但し、何れにしても、この時点で求めたベクトルの向きはシートスイッチ１１０上での指のスライド方向とは概ね反対の方向に対応するものとなる。
【００６７】
次いで、ステップ３１０ではステップ３０８で求めたベクトルが迷走ベクトルであるか否かが判定される。迷走ベクトルとは、例えば、ベクトル始端位置とベクトル終端位置とを結んだ直線に対し、例えば、ライン端子１２４とライン端子１３４との導通した際の次（２番目）のタッチ信号に基づいた中間点を通るベクトルが大きく異なる場合（すなわち、ベクトル始端位置とベクトル終端位置とを結んだ直線に対して中間点が大きく乖離している場合）をいい、例えば、操作者が如何なる操作を行なうか迷い、指がシートスイッチ１１０で格別な方向性を持たずに移動しているような場合に上記のベクトルが迷走ベクトルとなる場合がある。
【００６８】
ステップ３１０では、ステップ３０８で算出したベクトルが迷走ベクトルであるか否か、すなわち、中間位置をも含めてステップ３０８でベクトルを算出した場合には、算出したベクトルがベクトル始端位置とベクトル終端位置とを結んだ直線に対して大きく異なっているか否か、また、ステップ３０８でベクトルの始端位置と終端位置のみを算出した場合にはライン端子１２４とライン端子１３４との導通した際の次（２番目）のタッチ信号に基づいた中間点がステップ３０８で算出したベクトルに対して大きく乖離しているか否かが判定される。
【００６９】
ステップ３１０で迷走ベクトルでないと判定された場合にはステップ３１２へ進む。ステップ３１２ではタッチ部１６０、１５８、１５６の各々に指が位置した状態での各経過時間Ｔに基づいてスクロールの速度が設定され、例えば、各経過時間Ｔの和が小さければスクロール速度を比較的早く設定し、各経過時間Ｔの和が大きければスクロール速度を比較的遅く設定する。
【００７０】
次いで、ステップ３１４では、表示領域Ｒに対して地図データをステップ３０８で求めた方向へステップ３１２で設定した速度で高速移動（すなわち、上述した通常スクロールに比べて充分に早く移動）させると共に、ステップ３０８で求めた方向とは反対方向で且つステップ３１２で設定した速度に対応した長さの矢印マーク１８０をモニタテレビ２６の画面に表示させる（図１０参照）。すなわち、上述したように、ステップ３０８で算出したベクトルの向きは、言わば、シートスイッチ１１０上での指のスライド方向とは反対の方向に対応しているため、この方向に地図データを表示領域Ｒに対して高速移動させることで、あたかも、表示領域Ｒがシートスイッチ１１０上での指のスライド方向へ高速移動しているようにみえる。
【００７１】
このように、本実施の形態では、シートスイッチ１１０上（すなわち、パネル８４上）で指をスライドさせることで、そのスライド方向に対応した方向へ向け、しかも、そのスライド速度に対応し且つ通常スクロールよりも充分に速い速度で、見かけ上、表示領域Ｒを高速で移動させることができる。これにより、操作感覚とスクロールの向きや速度を適応させることができる。
【００７２】
次いで、ステップ３１６でフラグＦ２に１が代入されると共にタイマーの経過時間Ｔに０が代入され（すなわち、リセットされ）、ステップ３０２へ戻る。この状態で特にタッチ信号を受信していなければ（厳密に言えば、上述した最後のタッチ信号の後にタッチ信号を受信していなければ）、ステップ３０４へ進み、更に、ステップ３０６へ進む。ここで、この状態では、ステップ３１６でフラグＦ２に１が代入されているため、ステップ３０８へは進まずにステップ３０２へ戻る。なお、この状態では、高速スクロールが継続されている。すなわち、この状態にあっては、操作者は特別な操作を行なったり、或いは、なんらかの操作を継続したりしていなくても、高速スクロールが継続されていることになるため、所望の地図（すなわち、表示したい地図）が接近し、若しくは表示されるまでの間、操作者は操作から開放される。したがって、この状態では、操作者による本カーナビゲーション装置１０以外の他の操作等を行なうことが可能となる等、操作性が向上する。
【００７３】
また、上述したように、高速スクロールを行なう条件として設定時間ＴＡとスライド終了後におけるシートスイッチ１１０からの指の離間があり、この設定時間ＴＡを越えて同一のタッチ信号を制御部２２が受信した場合には高速スクロールが行なわれない。したがって、高速スクロールを行なうには意図的に素早く指をスライドさせてシートスイッチ１１０から指を離さなければならず、これにより、意図しない（不用意な）地図データの高速スクロールを防止或いは抑制できる。
【００７４】
次に、ステップ３０２、３０４、３０６、３０２と巡るループで処理を行なっている途中で、例えば、操作者の指がシートスイッチ１１０上のタッチ部１５４に触れ、これにより、ライン端子１２２とライン端子１３６とが導通し、これに伴うタッチ信号が赤外線受光部２０から制御部２２へ送られると、ステップ３０２からステップ３１８へ進み、タイマー（タイマープログラム）の経過時間Ｔが０であるか否かが判定される。
【００７５】
ここで、この状態ではステップ３１６で経過時間Ｔがリセットされているため、ステップ３２０へ進みタイマー（タイマープログラム）が起動される。次いで、ステップ３２２でフラグＦ３に１が代入された後にステップ３２４へ進む。ステップ３２４では経過時間Ｔが予め設定された設定時間ＴＢを越えたか否かが判定され、経過時間Ｔが設定時間ＴＢを越えていなければステップ３０２へ戻る。
【００７６】
例えば、タッチ部１５４に触れた後、瞬時にシートスイッチ１１０から指を離した場合等、設定時間ＴＢを越える前にタッチ信号の受信が解除された場合には、ステップ３０２からステップ３０４へ進む。ここで、上述したように、ステップ３２２でフラグＦ３に１が代入されているため、ステップ３０４からステップ３２６へ進んで方向設定処理が行なわれる。このステップ３２６での方向設定処理は、ステップ３０８でのベクトル処理とは異なり、例えば、ライン端子１２２とライン端子１３６との導通信号に基づくタッチ信号からタッチ部１５４の位置を算出し、更に、表示領域Ｒの中央から表示領域Ｒにおけるタッチ部１５４に対応した向きを算出する。
【００７７】
次いで、ステップ３２８ではそれまでのスクロール速度よりも予め設定された割合だけ（すなわち、１段階）遅い速度に設定される。さらに、ステップ３３０でフラグＦ３と経過時間Ｔのそれぞれに０が代入された後（すなわち、リセットされた後）に、ステップ３３２ではステップ３２６で算出した方向とは反対方向へ向けて、ステップ３２８で設定した速度で表示領域Ｒに対して地図データを移動させると共に、ステップ３２６で算出した向きで且つ１段階減速した速度に対応する長さの矢印マーク１８２をモニタテレビ２６の画面に表示させて（図１１参照）、ステップ３０２へ戻る。
【００７８】
この状態でステップ３０２へ戻った後には、次にタッチ信号を受信するまでステップ３０２、３０４、３０６、３０２のループを巡回しており、この状態では、上述した減速スクロールが継続されている。
【００７９】
その後、再び設定時間ＴＢを越えないタッチ信号が受信されるたびに、そのタッチ信号に基づいた方向へ向けて更に１段階減速されてスクロールされる。これにより、最初の高速スクロールで表示領域Ｒに対して大まかな位置まで地図データを移動させ、その後に減速スクロールを繰り返すことで、例えば、目的の地図データを早急且つ確実に表示領域Ｒの略中央に表示させることができる。
【００８０】
一方、設定時間ＴＢを越えるまで連続して同一のタッチ信号を受信した場合には、ステップ３２４からステップ３３４へ進み、ステップ３３４でそれまでの高速スクロールや減速スクロールが停止される。次いで、ステップ３３６でフラグＦ１〜Ｆ３の全てに０が代入されてリセットされる。
【００８１】
次いで、ステップ３３８では、それまでに受信したタッチ信号を記憶したメモリ等から最後に受信したタッチ信号を除いて消去する（換言すれば、このステップ３１４を経ることで、最後に受信したタッチ信号が最初に受信したタッチ信号になる）。さらに、このステップ３３８を経た後にステップ３４０を介して図６のステップ２０６へ戻る。なお、ステップ３１０においてステップ３０８で算出したベクトルが迷走ベクトルであると判定された場合にも、ステップ３３６へ進み、ステップ３３８、３４０を介して図６のステップ２０６へ戻る。
【００８２】
次いで、ステップ２０６へ戻った後に、例えば、クリック信号を受信すると、ステップ２１６からステップ２３８へと進み、その直前に受信したタッチ信号と受信したクリック信号に基づいた各種の処理が行なわれる。
【００８３】
以上説明したように、本実施の形態において地図画面プログラム起動時には、高速スクロール、減速スクロール、及び通常スクロールを用いることで、操作者の意図に対応した速さで確実に所望の地図データを表示領域Ｒに表示させることができる。
【００８４】
（登録マーク検索プログラム起動時における本実施の形態の作用、効果）
次に、登録マーク検索プログラムを起動した際の画面切換（すなわち、通常切換としての通常スクロール、高速切換としての高速スクロール、及び変速切換としての減速スクロール）に関する作用並びに効果について説明する。
【００８５】
なお、この登録マーク検索プログラム起動時及び次に説明する地名検索プログラム起動時に関しては図６のフローチャートに代えて図８のフローチャートに基づいて説明するが、基本的には上述した地図画面プログラム起動時と同じであり、基本的な作用並びに効果も同じであるため、以下、地図画面プログラム起動時と差異を中心に説明を行ない、基本的に同一の処理に関してはその詳細な説明を省略する。
【００８６】
登録マーク検索プログラム起動時には、先ず図８に示されるように、ステップ２００で制御部２２が記憶媒体２４から登録マーク検索プログラムを読み込んで登録マーク検索プログラムが起動されると、ステップ２０２で初期設定処理が行なわれ、更に、ステップ２０４では記憶媒体２４から選択ボタン３２〜５４（図１２参照）のデータが読み込まれると共に、登録マーク検索プログラム起動時における表示データであるところの登録マークデータが読み込まれてマトリクス状に展開される。但し、本実施の形態において登録マークデータはマトリックス状に展開されるが、展開された登録マークデータの行数は図１２に示される選択ボタン３２〜５４の行数（すなわち、４行）に等しく、列数は登録マークのデータ数を行数で割った数に対応している。
【００８７】
その後、ステップ２０６でモニタテレビ２６の画面の表示領域Ｒに所定の登録マークデータが表示されているか否かが判定され、所定の登録マークデータが表示されていなければステップ２０８にて画面表示処理がなされ、展開された登録マークデータのうち、表示領域Ｒに対応した登録マークデータのラベルを図１２に示すようにモニタテレビ２６の画面に表示してステップ２１０へ進む。なお、以下、登録マーク検索プログラム起動時の説明に限り、モニタテレビ２６の画面に表示可能（すなわち、表示領域Ｒへ移動可能）な行数及び列数の登録マークデータ（すなわち、本実施の形態においては、４行３列分の登録マークデータ）を１つの単位とし、この単位を便宜状「頁」と称する。すなわち、１頁分の登録マークデータとは４行３列の互いに隣接する登録マークデータのことをさす。
【００８８】
例えば、操作者の指がタッチ部１６０に触れることでライン端子１２４とライン端子１３６とが導通し、この状態でのタッチ信号を制御部２２が赤外線受光部２０から受けると、ステップ２１０からステップ２１４、２１６を介してステップ２１８へ進み、それまでに同一のタッチ信号を連続して受信していなければ、ステップ４０２でタッチ信号処理が行なわれる。
【００８９】
図１２に示されるように、本実施の形態において登録マーク検索プログラムが起動された際にモニタテレビ２６に表示される選択ボタン３２〜５４は、全体的にマトリックス状となり、その行数はライン端子１２２〜１２８の本数に等しく、列数はライン端子１３２〜１３６の本数に等しい。すなわち、ライン端子１２２〜１３６の交点（換言すれば、タッチ部１５０〜１７２）が選択ボタン３２〜５４に対応することになり、ステップ４０２では、受信したタッチ信号に該当する（すなわち、この場合にはライン端子１２４とライン端子１３６との交点に対応する）選択ボタン３４並びにこの選択ボタン３４内に表示された登録マークデータのラベルが反転表示される（図１３参照）。
【００９０】
仮に、シートスイッチ１１０並びにパネル８４を介してプッシュスイッチ９６の可動部１００を押圧して本体９８の固定接点と可動部１００の可動接点とを導通させ、更にこのときの導通信号に基づいて赤外線発光素子１０２から発せられた赤外線信号Ｌを赤外線受光部２０が受けると、赤外線受光部２０から制御部２２へクリック信号が送られる。このような場合には、図８のステップ２１６からステップ２３８へと進み、制御部２２は、例えばクリック信号受信直前に受信したタッチ信号に該当する選択ボタン３４に表示されている登録マークに対応した地点を中心として、そのタッチ部の地図データをモニタテレビ２６に表示させる（表示例の一態様としては図９を参照）。
【００９１】
一方、設定時間ＴＡを越えて指がタッチ部１６０に触れていた場合には、図８のステップ２２４からステップ２２８へと進んで登録マーク検索プログラム起動時における通常スクロール処理が行なわれる。
【００９２】
この通常スクロール処理では、シートスイッチ１１０上（パネル８４上）での操作者の指位置に基づき（すなわち、タッチ信号に基づいて）所定の方向へ画面が移動する。
【００９３】
すなわち、例えば、タッチ部１６０に指が触れている場合では、タッチ部１６０はパネル８４の中央に対して概ね右方に位置するため、ステップ２２８では、展開した登録マークデータを一列分だけ表示領域Ｒに対して全体的に左方へ移動させる。これにより、選択ボタン４８〜５４にラベル表示されていた登録マークデータ（すなわち、表示領域Ｒの左端側に位置する）は表示領域Ｒの左外側へ移動する。同様にボタン３２〜４６にラベル表示されていた登録マークデータも移動して選択ボタン４０〜５４内でラベル表示される。さらに、それまで表示領域Ｒの右外側に位置してラベル表示されていなかった登録マークデータが一列分だけ表示領域Ｒ内に位置して選択ボタン３２〜３８でラベル表示される（図１４参照）。
【００９４】
このように、パネル８４（シートスイッチ１１０）の右側を指で触れ続けることで、相対的に表示領域Ｒが右方へ移動することになる。したがって、所望の登録マークデータが表示領域Ｒ内に位置するまでパネル８４（シートスイッチ１１０）に触れ続けることで所望の登録マークデータをモニタテレビ２６の画面に表示させることができる。
【００９５】
なお、上述したように、本実施の形態にあっては、展開された登録マークデータの行数は選択ボタン３２〜５４の行数と同じであるため、表示領域Ｒに対して選択ボタン３２〜５４の列方向（本実施の形態では図１２〜１４の上下方向）に沿った方向（厳密には選択ボタン３２〜５４の列方向に対応した方向に沿った方向）の外側には、表示領域Ｒに表示しきれない登録マークデータが存在するが、表示領域Ｒに対して選択ボタン３２〜５４の列方向に沿った方向の外側には登録マークデータが存在しない。
【００９６】
このため、本登録マーク検索プログラム起動時では登録マークデータを表示領域Ｒに対して選択ボタン３２〜５４の列方向に沿った方向へ移動させる処理は行なわれない。また、特にフローチャートを用いた説明はしないが、この通常スクロール処理は、同一のタッチ信号が途絶えること、すなわち、指がシートスイッチ１１０上から離れるか、或いは、シートスイッチ１１０上で指が移動するかにより終了する。この通常スクロール処理が終了するとステップ２３０へ進んでステップ２００へ戻る。
【００９７】
これに対し、設定時間ＴＡを越える前にタッチ部１６０からタッチ部１５８へ指がスライドした後に設定時間ＴＡを越える前にタッチ部１５８からタッチ部１５６へ指がスライドし、更に、設定時間ＴＡを越える前にシートスイッチ１１０から指を離すと、上述した地図画面表示プログラム起動時と同様に図８のステップ２１０、２１２を経てステップ２３６へ進んで高速スクロール処理が行なわれる。
【００９８】
登録マーク検索プログラム起動時においても上述した地図画面表示プログラム起動時と同様に図７に示されるようにステップ３００〜３４０の処理が行なわれる。但し、上記の地図画面表示プログラム起動時においてステップ３１２の速度設定処理は地図データの移動速度の設定であったが、本登録マーク検索プログラム起動時においてはステップ３１２の速度設定処理は表示領域Ｒ内での登録マークデータの表示時間をいう。また、通常スクロール時と同様に、高速スクロール処理においても本登録マーク検索プログラム起動時には登録マークデータを表示領域Ｒに対して選択ボタン３２〜５４の列方向（本実施の形態では図１２〜１４の上下方向）に沿った方向へ移動させる処理が行なわれることはない。
【００９９】
ステップ３１４で高速スクロールが開始されると、表示領域Ｒに対してステップ３０８で算出したベクトルの方向、すなわち、シートスイッチ１１０上でタッチ部１５６を始端位置としタッチ部１６０を終端位置とするベクトルの向きに対応した方向の外側へ表示領域Ｒでラベル表示されている登録マークデータ（すなわち、選択ボタン３２〜５４内でラベル表示されている登録マークデータ）の全てが一度に移動する。さらに、ステップ３０８で算出したベクトルの向きとは反対方向で表示領域Ｒの外側で隣接する１頁分の登録マークデータが一度に表示領域Ｒ内に移動して対応する選択ボタン３２〜５４内でラベル表示される（図１５参照）。
【０１００】
次いで、ステップ３１２で設定された時間だけ表示領域Ｒ内（すなわち、選択ボタン３２〜５４内）で登録マークデータのラベルを表示した後に、この状態で表示領域Ｒにラベル表示されている登録マークデータの全てが上記と同じベクトルの方向の表示領域Ｒ外へ一度に移動する。さらに、この状態でステップ３０８で算出したベクトルの向きとは反対方向で表示領域Ｒの外側で隣接する１頁分の登録マークデータが一度に表示領域Ｒ内に移動して対応する選択ボタン３２〜５４内でラベル表示される。
【０１０１】
上記の高速スクロール開始後は、図７のステップ３０２、３０４、３０６、３０２のループを巡回し、高速スクロール（すなわち、登録マークデータの移動）が繰り返され続ける。
【０１０２】
次いで、この状態で、例えば、操作者の指がシートスイッチ１１０上の設定時間ＴＢよりも短い時間でタッチ部１５６に触れ、これに伴うタッチ信号が赤外線受光部２０から制御部２２へ送られると、ステップ３２６で方向設定処理がなされる。次いで、ステップ３２８で速度変更処理が行なわれて表示領域Ｒ内での表示時間が１段階遅く設定される。ステップ３３０を経た後、ステップ３３２で減速スクロールが開始されると、シートスイッチ１１０の略中央からタッチ部１５６への方向とは反対方向へ登録マークデータの全てが一度に移動すると共に、シートスイッチ１１０の略中央からタッチ部１５６への方向で表示領域Ｒの外側で隣接する１頁分の登録マークデータが一度に表示領域Ｒ内に移動する。
【０１０３】
上記の減速スクロール開始後は、図７のステップ３０２、３０４、３０６、３０２のループを巡回し、その間、表示領域Ｒ内に移動した登録マークデータはステップ３２６で設定された時間、すなわち、それ以前の表示時間よりも１段階遅い時間だけ表示領域Ｒ内で表示された後に移動する。
【０１０４】
このように、本登録マーク検索プログラム起動時においては、表示領域Ｒに表示されている登録マークデータに対して所望の（すなわち、表示したい）登録マークデータが離れているような場合であっても、上記の高速スクロールを行なうことで、通常スクロールを行なうよりも早急に所望の登録マークデータを表示させることができる。
【０１０５】
しかも、高速スクロール開始後に所望の登録マークデータが近づいてきた場合、或いは、表示領域Ｒに所望の登録マークデータを表示させたものの、登録マークデータの移動の停止が間に合わなかった場合等においては、減速スクロールを行なうことで落ちついて確実に所望の登録マークデータを表示領域Ｒに表示させることができる。
【０１０６】
また、以上のように高速スクロール及び減速スクロールを行なうことで、別途、高速スクロールモードボタンや減速スクロールモードボタンを表示領域Ｒ内に表示させなくてもよいため、選択ボタン３２〜５４の大型化や数量増加等、表示領域Ｒの有効活用が可能となる。
【０１０７】
なお、上述したように、本実施の形態では、登録マーク検索プログラムを起動させた際の登録マークデータの移動方向（すなわち、スクロール方向）を選択ボタン３２〜５４の行方向（本実施の形態では図１２〜１４の左右方向）にのみに限定した構成であった。しかしながら、展開された登録マークデータの並び方次第で登録マークデータの移動方向は選択ボタン３２〜５４の行方向でない場合がよいことは言うまでもない。
【０１０８】
すなわち、登録マークデータの列数を選択ボタン３２〜５４の列数に等しくし、登録マークのデータ数を列数で割った数の行数を有するような態様に登録マークデータを並べたような場合には、当然のことながら、登録マークデータの移動方向は列方向（本実施の形態では図１２〜１４の上下方向）に対応した方向となる。
【０１０９】
また、選択ボタン３２〜５４の行数及び列数よりも多く行方向並びに列方向へ展開時の登録マークデータが並ぶ場合には、行方向、列方向の双方へ登録マークデータを移動させる必要があり、更に、行方向、列方向のみならず行方向に対して列方向へ傾斜した方向へ登録マークデータを移動可能とすることでより一層利便性が向上する。
【０１１０】
また、本実施の形態では、登録マーク検索プログラムを起動させた場合に高速スクロール及び減速スクロールの何れもが１頁分の登録マークデータを移動させ、高速スクロールと減速スクロールとで表示時間を異ならせる構成であったが、高速スクロールと減速スクロールはこのような処理に限定されるものではない。
【０１１１】
例えば、高速スクロールでは１度に数頁分の登録マークデータを移動させ、減速スクロールでは１度に移動する登録マークデータの頁数を減らす構成であってもよいし、更には、高速スクロール及び減速スクロールも通常スクロールと同様に１列分の登録マークデータしか移動させないが、高速スクロール、減速スクロール、及び通常スクロールで表示時間を変える構成としてもよい。
【０１１２】
さらに言えば、上述した地図画面表示プログラム起動時においてもこのような登録マーク検索プログラム起動時と同様の処理を行なう構成としてもよい。
【０１１３】
（ジャンル別検索プログラム起動時における本実施の形態の作用、効果）
次に、ジャンル別検索プログラムを起動した際の画面切換（すなわち、通常切換としての通常スクロール、高速切換としての高速スクロール、及び変速切換としての減速スクロール）に関する作用並びに効果について説明する。
【０１１４】
なお、このジャンル別検索プログラム起動時における作用並びに効果は、基本的に上述した地図画面プログラム起動時と同じであるため、以下、登録マーク検索プログラム起動時と差異並びにジャンル別検索プログラム起動時での特徴部分の説明を中心に行ない、基本的に同一の処理に関してはその詳細な説明を省略する。
【０１１５】
ジャンル別検索プログラム起動時においても、ステップ２０４では記憶媒体２４から選択ボタン３２〜５４を含む画像若しくはその他のデータが読み込まれると共に、ジャンル別検索プログラム起動時における表示データであるところの分類データが読み込まれて階層的に展開される。本実施の形態において分類データは更に大分類データ、中分類データ、小分類データに分けられる。全ての中分類データは複数の大分類データのうちの何れか１乃至複数に属しており、全ての小分類データは複数の中分類データのうちの何れか１乃至複数に属している。すなわち、大分類データを頂点にして中分類データ、小分類データが階層的に並ぶ構成である。
【０１１６】
さらに、ステップ２０６でモニタテレビ２６の画面の表示領域Ｒに所定の分類データが表示されているか否かが判定され、所定の分類データが表示されていなければステップ２０８にて画面表示処理がなされる。
【０１１７】
図１６に示されるように、ジャンル別検索プログラム起動時における画面表示処理では、表示領域Ｒ内に選択ボタン３２〜５４がマトリックス状（本実施の形態では、４行３列）に表示される。また、この状態では、最も左側の列にある選択ボタン４８〜５４の各々に、１列に並んだ大分類データのうち表示領域Ｒ内に位置する大分類データのラベルが表示される。さらにこの状態では、表示された大分類データに属する中分類データのラベルが第１番目から順番に選択ボタン４０〜４６に表示されると共に、表示された中分類データに属する小分類データのラベルが第１番目から順番に選択ボタン３２〜３８に表示される。
【０１１８】
但し、選択ボタン３２〜３８に表示された小分類データのうち、何れか２以上が同一の中分類データに属する場合には、同一の中分類データに属する小分類データのラベルを表示した選択ボタン３２〜３８のうち、上方に位置する小分類データのラベルの左側（すなわち、同一行）の中分類データのラベルだけが選択ボタン４０〜４６に表示され、同一の中分類に属する小分類データのラベルのうち、下方に位置する小分類データのラベルの左側の選択ボタン４０〜４６は空欄となる。
【０１１９】
同様に、選択ボタン４０〜４６に表示される中分類データのうち、何れか２以上が同一の大分類データに属する場合には、同一の大分類データに属する中分類データのラベルを表示した選択ボタン４０〜４６のうち、上方に位置する中分類データのラベルの左側（すなわち、同一行）の大分類データのラベルだけが選択ボタン４８〜５４に表示され、同一の中分類に属する中分類データのラベルのうち、下方に位置する中分類データのラベルの左側の選択ボタン４８〜５４は空欄となる。
【０１２０】
このように各分類データのラベルが表示された状態で、操作者の指がタッチ部１６０に触れることによりライン端子１２４とライン端子１３６とが導通し、この状態でのタッチ信号を制御部２２が赤外線受光部２０から受けると、ステップ２１０からステップ２１４、２１６を介してステップ２１８へ進み、それまでに連続して同一のタッチ信号を受信していなければ、ステップ４０２でタッチ信号処理が行なわれ、登録マーク検索プログラム起動時と同様に該当する選択ボタン３４並びにこの選択ボタン３４内で表示されている分類データ（小分類データ）のラベルが反転表示される（図１７参照）。
【０１２１】
仮に、この状態でシートスイッチ１１０並びにパネル８４を介してプッシュスイッチ９６の可動部１００を押圧して本体９８の固定接点と可動部１００の可動接点とを導通させ、更にこのときの導通信号に基づいて赤外線発光素子１０２から発せられた赤外線信号Ｌを赤外線受光部２０が受けると、赤外線受光部２０から制御部２２へクリック信号が送られる。
【０１２２】
このようなクリック信号、すなわち、タッチ部１６０に対応したタッチ信号を受信した直後にクリック信号を制御部２２が受信した場合には、ステップ４０２でタッチ部１６０に対応する選択ボタン３４にラベル表示された小分類データに含まれる個別のデータ、例えば、登録マーク検索プログラム起動時において説明した登録マークデータのうち、この小分類データに含まれる登録マークデータを選択ボタン３２〜５４に表示させたり、或いは、この小分類データに含まれる登録マークデータのみを抽出した上で展開し、上述した登録マーク検索プログラムを起動させる。
【０１２３】
また、仮にタッチ部１５２に対応したタッチ信号を受信した直後にクリック信号を制御部２２が受信した場合には、ステップ４０２でタッチ部１５２に対応する選択ボタン４０にラベル表示された中分類データに含まれる小分類データを一列に展開して、表示領域Ｒ内の小分類データのラベルを選択ボタン３２〜３８にラベル表示させる（一例として図２２参照）。但し、該当する中分類データに属する小分類データの数が選択ボタン３２〜３８よりも少ない場合には、該当する中分類データの前若しくは後の中分類データに関して小分類データを同様にラベル表示させる。
【０１２４】
さらに、仮にタッチ部１５０に対応したタッチ信号を受信した直後に制御部２２がクリック信号を受信した場合には、ステップ４０２でタッチ部１５０に対応する選択ボタン４８に表示された大分類データに含まれる中分類データを一列に展開して、表示領域Ｒ内の中分類データのラベルを選択ボタン４０〜４６に表示させる。さらに、選択ボタン４０〜４６にラベルが表示された各中分類データに属する第１番目の小分類データのラベルを対応する中分類データのラベルが表示された選択ボタン４０〜４６の右側に位置する選択ボタン３２〜３８にそれぞれ表示させる（一例として図２０参照）。但し、該当する大分類データに属する中小分類データの数が選択ボタン４０〜４６よりも少ない場合には、該当する大分類データの前若しくは後の大分類データに関して中分類データと分類データとを同様にラベル表示させる。
【０１２５】
これに対し、例えば、タッチ部１５６からタッチ部１６２へ指がスライドした後に設定時間ＴＡを越える前にタッチ部１６２からタッチ部１６８へ指がスライドした場合のようにシートスイッチ１１０上で列方向に指がスライドし、且つ、設定時間ＴＡを越える前にシートスイッチ１１０から指を離すと、上述した登録マーク検索プログラム起動時と同様に図８のステップ２１０、２１２を経てステップ２３６へ進んで高速スクロール処理が行なわれる。
【０１２６】
但し、本実施の形態では、選択ボタン３２〜５４の行方向に沿って大分類データ、中分類データ、小分類データの３つの分類データに分けて並び、基本的にそれ以外の分類データがないため、選択ボタン３２〜５４の行方向に沿った方向で表示領域Ｒの外側に位置するデータは存在しない。したがって、本実施の形態では、ジャンル別検索プログラム起動時において選択ボタン３２〜５４の行方向に沿った高速スクロール並びに減速スクロールが行なわれることはなく、また、通常スクロール時でも選択ボタン３２〜５４の行方向スクロールされることはない。
【０１２７】
また、本実施の形態においては、マトリックス状のタッチ部１５０〜１７２のどの列で指がスライドしたかにより高速スクロール及び減速スクロールの態様が異なる。以下、各列毎に分けて説明する。
【０１２８】
タッチ部１５６からタッチ部１６８へ向けて指がスライドすることによってステップ３１４で高速スクロール処理が開始されると、先ず、全ての大分類データが一列に並べられる。
【０１２９】
次いで、一列に並んだ大分類データのうち、図８のステップ２３６へ進む直前までに受信したタッチ信号に基づいてステップ４０２で反転表示された選択ボタン５４並びに大分類データのラベルの位置から表示領域Ｒ内で表示可能な大分類データのラベルが選択ボタン４８〜５２に表示される。
【０１３０】
さらに、選択ボタン４８〜５４に表示された各大分類データに属する第１番目の中分類データのラベルが対応する選択ボタン４８〜５４の右方で選択ボタン４０〜４６に表示されると共に、選択ボタン４０〜４６の各々に表示されたラベルの中分類データに属する第１番目の小分類データのラベルが対応する選択ボタン４０〜４６の右方で選択ボタン３２〜３８に表示される（図１８参照）。
【０１３１】
次いで、この状態から大分類データの全てが表示領域Ｒに対してステップ３０８で算出したベクトルの方向へ移動する。なお、このときの大分類データの移動は、登録マーク検索プログラム起動時のように表示領域Ｒ内の大分類データ（すなわち、４つの大分類データ）を一度に移動させると共に、ステップ３０８で算出したベクトルとは反対方向側で表示領域Ｒに隣接する大分類データを含めて表示領域Ｒ内で表示可能な大分類データ（すなわち、４つの大分類データ）を一度に表示領域Ｒ内に移動させて、該当する大分類データのラベルを選択ボタン４８〜５４に表示させてもよい。また、大分類データをステップ３０８で算出したベクトルの方向へ移動させ、移動させた後に対応する大分類データのラベルを選択ボタン４８〜５４に表示させてもよい。
【０１３２】
さらに、この大分類データが移動して新たに選択ボタン４８〜５４内でラベルが表示されると、表示された各大分類データに属する第１番目の中分類データのラベルが対応する大分類データのラベルの右側で選択ボタン４０〜４６の各々に新たに表示されると共に、表示された中分類データに属する第１番目の小分類データのラベルが対応する中分類データのラベルの右側で選択ボタン３２〜３８の各々に新たに表示される（図１９参照）。
【０１３３】
一方、タッチ部１５８からタッチ部１７０へ向けて指がスライドすることによってステップ３１４で高速スクロール処理が開始されると、先ず、中分類データの全て、若しくは、先に所望の大分類データが決定していればその所望の大分類データに属する中分類データが一列に展開される。
【０１３４】
次いで、この一列に並んだ中分類データのうち、図８のステップ２３６へ進む直前までに受信したタッチ信号に基づいてステップ４０２で反転表示された選択ボタン４６並びに中分類データのラベルの位置から表示領域Ｒ内で表示可能な中分類データのラベルが選択ボタン４０〜４４に表示される。
【０１３５】
さらに、選択ボタン４０〜４６の各々に表示されたラベルの中分類データに属する第１番目の小分類データのラベルが対応する選択ボタン４０〜４６の右方で選択ボタン３２〜３８に表示される（図２０参照）。
【０１３６】
この状態で、表示領域Ｒに対してステップ３０８で算出したベクトルの方向へ中分類データが移動する。なお、大分類データ移動時と同様に、表示領域Ｒ内の中分類データ（すなわち、４つの中分類データ）を一度に移動させると共に、ステップ３０８で算出したベクトルとは反対方向側で表示領域Ｒに隣接する中分類データを含めて表示領域Ｒ内で表示可能な中分類データ（すなわち、４つの中分類データ）を一度に表示領域Ｒ内に移動させて、該当する中分類データのラベルを選択ボタン４８〜５４に表示させてもよい。また、中分類データをステップ３０８で算出したベクトルの方向へ移動させ、移動させた後に対応する中分類データのラベルを選択ボタン４０〜４６に表示させてもよい。
【０１３７】
中分類データが移動して新たに選択ボタン４０〜４６内でラベルが表示されると、表示された各中分類データに属する第１番目の小分類データのラベルが対応する中分類データのラベルの右側で選択ボタン３２〜３８の各々に新たに表示される（図２１参照）。
【０１３８】
これに対し、タッチ部１６０からタッチ部１７２へ向けて指がスライドすることによってステップ３１４で高速スクロール処理が開始されると、先ず、小分類データの全て、若しくは、先に所望の大分類データ或いは中分類データが決定していればその所望の大分類データ或いは中分類データに属する小分類データが一列に展開される。
【０１３９】
次いで、一列に並んだ小分類データのうち、図８のステップ２３６へ進む直前までに受信したタッチ信号に基づいてステップ４０２で反転表示された選択ボタン３８並びに小分類データのラベルの位置から表示領域Ｒ内で表示可能な小分類データのラベルが選択ボタン３２〜３６に表示される（図２２参照）。
【０１４０】
この状態で、図２３に示されるように、表示領域Ｒに対してステップ３０８で算出したベクトルの方向へ小分類データが移動する。なお、大分類データ移動時及び中分類データ移動時と同様に、表示領域Ｒ内の小分類データ（すなわち、４つの小分類データ）を一度に移動させると共に、ステップ３０８で算出したベクトルとは反対方向側で表示領域Ｒに隣接する小分類データを含めて表示領域Ｒ内で表示可能な小分類データ（すなわち、４つの小分類データ）を一度に表示領域Ｒ内に移動させて、該当する小分類データのラベルを選択ボタン３２〜３８に表示させてもよい。また、小分類データをステップ３０８で算出したベクトルの方向へ移動させ、移動させた後に対応する小分類データのラベルを選択ボタン３２〜３８に表示させてもよい。
【０１４１】
上記の高速スクロール開始後は、図７のステップ３０２、３０４、３０６、３０２のループを巡回し、高速スクロール（すなわち、分類データの移動）が繰り返され続ける。
【０１４２】
次いで、この状態で、例えば、操作者の指がシートスイッチ１１０上の設定時間ＴＢよりも短い時間でタッチ部１７０等に触れ、これに伴うタッチ信号が赤外線受光部２０から制御部２２へ送られると、ステップ３２６で方向設定処理がなされる。さらに、ステップ３２８で速度変更処理が行なわれて表示領域Ｒ内での表示時間が１段階遅く設定される。
【０１４３】
ステップ３３０を経た後、ステップ３３２で減速スクロールが開始されると、高速スクロール時と同様の移動形態でシートスイッチ１１０の略中央からタッチ部１７０等への方向とは反対方向へ高速スクロールしていた分類データ（すなわち、大分類データ、中分類データ、小分類データの何れか）移動すると共に、これに伴い該当する分類データ以外の分類データも移動する、表示領域Ｒ内に位置した分類データのラベルが対応する選択ボタン３２〜５４に表示される。
【０１４４】
上記の減速スクロール開始後は、図８のステップ３０２、３０４、３０６、３０２のループを巡回し、その間、表示領域Ｒ内に移動した分類データはステップ３２６で設定された時間、すなわち、それ以前の表示時間よりも１段階遅い時間だけ表示領域Ｒ内で表示された後に移動する。
【０１４５】
このように、本ジャンル別検索プログラム起動時においては、表示領域Ｒに表示されている分類データに対して所望の（すなわち、表示したい）分類データが離れているような場合であっても、上記の高速スクロールを行なうことで、通常スクロールを行なうよりも早急に所望の分類データを表示させることができる。しかも、高速スクロール開始後に所望の分類データが近づいてきた場合、或いは、表示領域Ｒに所望の分類データを表示させたものの、分類データの移動停止が間に合わなかった場合等においては、減速スクロールを行なうことで落ちついて確実に所望の分類データを表示領域Ｒに表示させることができる。
【０１４６】
また、大分類データ、中分類データ、及び小分類データ毎に高速スクロール、減速スクロール、及び通常スクロールを行なうことで、例えば、小分類データが膨大であったり、各小分類データに含まれる個別データ（例えば、登録マーク検索プログラム起動時における登録マークデータ）の和が膨大である場合でも、所望の小分類データや個別データを早急に検索でき、操作性が向上する。
【０１４７】
さらに、以上のように高速スクロール及び減速スクロールを行なうことで、別途、高速スクロールモードボタンや減速スクロールモードボタンを表示領域Ｒ内に表示させなくてもよいため、選択ボタン３２〜５４の大型化や数量増加等、表示領域Ｒの有効活用が可能となる。
【０１４８】
なお、本実施の形態では、大分類データ、中分類データ、及び小分類データの３種類を選択ボタン３２〜５４の行方向に並べる構成としたが、これらの３種類の分類データを選択ボタン３２〜５４の列方向に並べる構成としてもよい。この場合には、３種類の分類データを選択ボタン３２〜５４の行方向に並べた構成で各分類データの移動方向（スクロール方向）が列方向であったのに対し、各分類データの移動方向（スクロール方向）が行方向となることは言うまでもない。
【０１４９】
また、本実施の形態では、分類データを大分類データ、中分類データ、及び小分類データの３種類とした構成であったが、分類データを４種類以上とすることも可能である。もちろん、分類データを４種類以上とした場合には、ライン端子１２２〜１３６並びに選択ボタン３２〜５４の列数を増やして対応してもよいが、選択ボタン３２〜５４の行方向に沿ったスクロールを可能とし、選択ボタン３２〜５４の行方向で表示領域Ｒ外に位置する分類データを選択ボタン３２〜５４の行方向に沿ったスクロールで表示領域Ｒ内に移動させて表示させる構成とすることで、ライン端子１２２〜１３６や選択ボタン３２〜５４の列数を増やさずとも対応できる。
【０１５０】
さらに、これまでに説明した本実施の形態では、上述した地図画面表示プログラム、登録マーク検索プログラム、及びジャンル別検索プログラムの全てが起動可能な構成であったが、これらの３つのプログラムのうち、何れか１又は２を有する（起動可能な）構成としてもよいし、また、他のプログラムに上述したような高速スクロール処理や減速スクロール処理を適用してもよい。
【０１５１】
また、本実施の形態では、高速スクロール処理と減速スクロール処理の双方を有する構成であったが、減速スクロール処理を有しない構成としてもよい。
【０１５２】
さらに、上記各実施の形態では、コントローラ７０からはタッチ信号及びクリック信号に基づいた赤外線信号Ｌを装置本体１２へ送り、装置本体１２の制御部２２にて赤外線信号Ｌを処理し、判定する構成であったが、コントローラ７０内のＣＰＵ８８にてタッチ信号及びクリック信号を処理、判定し、その結果のみを赤外線信号Ｌとして送る構成としてもよい（換言すれば、制御手段を制御部２２とＣＰＵ８８とに分割してもよい）。
【０１５３】
【発明の効果】
以上説明したように、本発明では、データを移動させるにあたり、操作体を操作面上で移動させた後に特定の操作や操作の継続を行なわなくてもよいため、操作性が高い。
【図面の簡単な説明】
【図１】本発明の一実施の形態に係る画面操作装置の概略的な外観を示す斜視図である。
【図２】本発明の一実施の形態に係る画面操作装置の概略的な構成を示すブロック図である。
【図３】本発明の一実施の形態に係る画面操作装置の検出手段を備えたコントローラの平面図である。
【図４】図３の４−４線に沿ったコントローラの要部を示す断面図である。
【図５】検出手段の展開状態における平面図である。
【図６】本発明の一実施の形態に係る画面操作装置の制御の流れを示すフローチャートである。
【図７】データ移動（高速スクロール）処理時のフローチャートである。
【図８】本発明の一実施の形態に係る画面操作装置の制御の流れ変形例を示すフローチャートである。
【図９】地図表示プログラム起動時の画面例である。
【図１０】地図表示プログラム起動時におけるのデータ移動（高速スクロール）時での画面例である。
【図１１】地図表示プログラム起動時におけるの減速スクロール時での画面例である。
【図１２】登録マーク検索プログラム起動時の画面例である。
【図１３】選択ボタンの反転処理がなされた状態を示す図１２に対応した画面例である。
【図１４】登録マーク検索プログラム起動時における通常スクロールが行なわれた場合での画面例である。
【図１５】登録マーク検索プログラム起動時におけるデータ移動（高速スクロール）時での画面例である。
【図１６】ジャンル別検索プログラム起動時の画面例である。
【図１７】選択ボタンの反転処理がなされた状態を示す図１６に対応した画面例である。
【図１８】大分類データのデータ移動（高速スクロール）開始直前での画面例である。
【図１９】大分類データのデータ移動（高速スクロール）開始後での画面例である。
【図２０】中分類データのデータ移動（高速スクロール）開始直前での画面例である。
【図２１】中分類データのデータ移動（高速スクロール）開始後での画面例である。
【図２２】小分類データのデータ移動（高速スクロール）開始直前での画面例である。
【図２３】小分類データのデータ移動（高速スクロール）開始後での画面例である。
【符号の説明】
１０    カーナビゲーション装置（画面操作装置）
２２    制御部（制御手段）
２６    モニタテレビ（出力手段）
１１０    シートスイッチ（検出手段）
Ｒ    表示領域
【図１】
0004315590.tif 000002
【図２】
0004315590.tif 000003
【図３】
0004315590.tif 000004
【図４】
0004315590.tif 000005
【図５】
0004315590.tif 000006
【図６】
0004315590.tif 000007
【図７】
0004315590.tif 000008
【図８】
0004315590.tif 000009
【図９】
0004315590.tif 000010
【図１０】
0004315590.tif 000011
【図１１】
0004315590.tif 000012
【図１２】
0004315590.tif 000013
【図１３】
0004315590.tif 000014
【図１４】
0004315590.tif 000015
【図１５】
0004315590.tif 000016
【図１６】
0004315590.tif 000017
【図１７】
0004315590.tif 000018
【図１８】
0004315590.tif 000019
【図１９】
0004315590.tif 000020
【図２０】
0004315590.tif 000021
【図２１】
0004315590.tif 000022
【図２２】
0004315590.tif 000023
【図２３】
0004315590.tif 000024